(57)【要約】【課題】ヘッドの一部が意図することなく脱落することを防止でき、容易に交換することができるようにすること。【解決手段】所定の回転軸に連結されるロッド１１と、このロッド１１に支持されてドラムの打面を打撃可能なヘッド１２とを備えてドラムビータ１０が構成されている。ヘッド１２は、異なる材質からなる第１及び第２の部材２１，２２を備えている。第１の部材２１は、ロッド１１の軸線方向両側から第２の部材２２を挟み込み可能に設けられ、面内中央部に孔２４Ａをそれぞれ有する一対の挟持体２４，２４を備えている。第２の部材２２には孔２２Ａが形成されている。各孔２２Ａ，２４Ａにロッド１１を挿通させることにより、ロッド１１に第１及び第２の部材２１，２２が取り付けられる。【選択図】図１
2010145571.tif 000002
【特許請求の範囲】
【請求項１】
所定の回転軸に連結されるロッドと、このロッドに支持されてドラムの打面を打撃可能なヘッドとを備えたドラムビータにおいて、
前記ヘッドは、異なる材質からなる第１及び第２の部材を備え、
前記第１及び第２の部材には孔がそれぞれ設けられ、これら孔に前記ロッドを挿通させることで当該ロッドに第１及び第２の部材が取り付けられることを特徴とするドラムビータ。
【請求項２】
前記第１及び第２の部材は、ドラムの打面を打撃する打撃面をそれぞれ備えていることを特徴とする請求項１記載のドラムビータ。
【請求項３】
前記第１の部材は、前記ロッドの軸線方向両側から第２の部材を挟み込み可能な一対の挟持体を備え、各挟持体に前記孔がそれぞれ設けられていることを特徴とする請求項１又は２記載のドラムビータ。
【発明の詳細な説明】
【技術分野】
【０００１】
本発明は、ドラムビータに係り、更に詳しくは、ヘッドの一部が不用意に脱落することを防止することができるドラムビータに関する。
【背景技術】
【０００２】
従来より、バスドラムを演奏するためにドラム用のフットペダルが広く利用されている。フットペダルは、フッドボードを踏み込むことで回動可能なドラムビータを備え、当該ドラムビータを介してバスドラムの打面を打撃できるようになっている。このようなドラムビータとしては、特許文献１に開示されているものが知られている。同文献のドラムビータは、ロッドの先端側に設けられてドラムの打面を打撃するヘッドを備え、このヘッドは、ロッドに連結されたプラスチック部材に対し、フェルト部材を接着することにより構成される。
【０００３】
【特許文献１】米国特許第５６１０３５１号明細書
【発明の開示】
【発明が解決しようとする課題】
【０００４】
しかしながら、特許文献１にあっては、フェルト部材が接着されるため、その接着力が経時的に変化し易くなり、演奏時にフェルト部材がプラスチック部材から不用意に脱落する可能性が高くなる、という不都合がある。また、フェルト部材の摩耗により新しいフェルト部材に交換する場合、プラスチック部材からフェルト部材を剥がし取る作業の他、残存して付着する接着剤を除去する作業や、接着剤を用いて再度接着する作業が必要となる。従って、フェルト部材の交換作業が煩雑且つ長時間化することとなり、メンテナンス等の作業性が低下するという不都合を招来する。
【０００５】
［発明の目的］
本発明は、このような不都合に基づいて案出されたものであり、その目的は、ヘッドの一部が意図することなく脱落することを防止でき、ヘッドの一部を容易に交換することができるドラムビータを提供することにある。
【課題を解決するための手段】
【０００６】
前記目的を達成するため、本発明は、所定の回転軸に連結されるロッドと、このロッドに支持されてドラムの打面を打撃可能なヘッドとを備えたドラムビータにおいて、
前記ヘッドは、異なる材質からなる第１及び第２の部材を備え、
前記第１及び第２の部材には孔がそれぞれ設けられ、これら孔に前記ロッドを挿通させることで当該ロッドに第１及び第２の部材が取り付けられる、という構成を採っている。
【０００７】
本発明において、前記第１及び第２の部材は、ドラムの打面を打撃する打撃面をそれぞれ備える、という構成を採ることができる。
【０００８】
また、前記第１の部材は、前記ロッドの軸線方向両側から第２の部材を挟み込み可能な一対の挟持体を備え、各挟持体に前記孔がそれぞれ設けられる、という構成を採ってもよい。
【発明の効果】
【０００９】
本発明によれば、孔にロッドを挿通させることで第１及び第２の部材がロッドに取り付けられるので、従来のように接着力の低下に起因する不用意な脱落を防止することができる。また、第１及び第２の部材の各孔からロッドを抜き出した後、再度孔にロッドを挿通させることで第１及び第２の部材を簡単に交換することができ、交換作業やメンテナンスの容易化及び作業時間の短縮化を図ることが可能となる。
【００１０】
また、第１及び第２の部材が打撃面をそれぞれ備えているので、例えば、第１の部材をフェルト部材とし、第２の部材をフェルト部材より硬質の部材とした場合、各部材の材質の相違によりドラムの音質を変化させることができる。
【００１１】
更に、孔を有する一対の挟持体を第１の部材が備えているので、各挟持体により第２の部材を挟み込みつつ、これらにロッドを挿通することができ、第２の部材の脱落をより良く防止することが可能となる。
【発明を実施するための最良の形態】
【００１２】
以下、本発明の好ましい実施の形態について図面を参照しながら説明する。
【００１３】
図１には、実施形態に係るドラムビータの概略斜視図が示され、図２には、その分解図が示されている。これらの図において、ドラムビータ１０は、ロッド１１と、このロッド１１の先端側に支持されたヘッド１２とを備えて構成されている。
【００１４】
前記ロッド１１の基端側は、図示省略した回動軸に連結され、この回動軸は、演奏者によるフットボードの踏み込み及びその解除操作により回転し、ヘッド１２を図１中矢印Ｒ方向に回動させるようになっている。図２に示されるように、ロッド１１は、先端側に雄ねじ部１４を備えている。雄ねじ部１４には、ヘッド１２の同図中上下両側に位置するワッシャ１５，１５が挿通可能に設けられ、また、袋ナットからなるナット部材１６が螺合可能となっている。更に、ロッド１１は、雄ねじ部１４の基部側に前記ワッシャ１５の内径より大きい外径となる段部１８を備えている。
【００１５】
前記ヘッド１２は、図２中右側に位置する第１の部材２１と、同図中左側に位置して第１の部材２１と組み合わされる第２の部材２２とを備えている。第１及び第２の部材２１，２２は、異なる材質からなり、本実施形態では、第１の部材２１は、プラスチックや合成樹脂により構成され、第２の部材２２は、フェルトにより構成されている。
【００１６】
前記第１の部材２１は、面内中央部に孔２４Ａをそれぞれ有する一対の挟持体２４，２４と、これら挟持体２４，２４の図２中右端側を連結する連結体２５と、これら挟持体２４，２４及び連結体２５の同図中前後両側に連なる一対の側壁体２６，２６とを備えている。第１の部材２１において、連結体２５の反対側すなわち図２中左側は開口２８として形成され、当該開口２８から前記第２の部材２２を出し入れ可能となっている。前記各孔２４Ａは、それらの中心軸線が同一線上に位置するよう設けられているとともに、前記雄ねじ部１４の外径より若干大きい内径寸法に設定されている。各側壁体２６，２６には、前記開口２８側を開放する横向きＵ字状の切欠部２６Ａがそれぞれ形成されている。
【００１７】
前記第２の部材２２は、各挟持体２４，２４間及び各側壁体２６，２６間に隙間なく接触するように収納される。第２の部材２２には、図２中上下方向に貫通する孔２２Ａが形成されている。この孔２２Ａ内には、前記雄ねじ部１４が挿通されるスリーブ３０が設けられる。第２の部材２２は、その孔２２Ａの中心軸線を前記各挟持体２４の孔２４Ａの中心軸線と一致させたときに、挟持体２４の先端（図１中左端）より突出する形状を備えている。第２の部材２２において、挟持体２４の先端より突出した図１中左面は、図示しないドラムの打面を打撃する打撃面２２Ｂとされ、湾曲面状に膨出形成されている。
【００１８】
次に、ドラムビータ１０の組み立ての手順について説明する。
【００１９】
先ず、一方のワッシャ１５を雄ねじ部１４に挿通させてから段部１８上に載置する。これと前後して、第２の部材２２の孔２２Ａ内にスリーブ３０を収納した状態で、第１の部材２１の開口２８を通じて各挟持体２４，２４間及び各側壁体２６，２６間に、第２の部材２２を挿入する。これにより、第２の部材２２は、各挟持体２４，２４及び各側壁体２６，２６により上下方向及び前後方向に移動規制される。
【００２０】
第１の部材２１内に第２の部材２２を挿入した後、第２の部材２２を左右方向にスライドし、スリーブ３０の中心軸線と各挟持体２４の孔２４Ａの中心軸線とを位置合わせする。これらの軸線が一致した状態で、下方の孔２４Ａから、前記孔２２Ａすなわちスリーブ３０内及び上方の孔２４Ａに雄ねじ部１４を挿通し、当該雄ねじ部１４の先端が上方の挟持体２４より突出した状態とする。その後、雄ねじ部１４に他方のワッシャ１５を挿通して挟持体２４上に載置した後、雄ねじ部１４にナット部材１６をねじ込む。このねじ込みにより、各挟持体２４，２４によってロッド１１の軸線方向（図中上下方向）両側から第２の部材２２が挟み込まれ、ロッド１１に第１及び第２の部材２１，２２が取り付けられてドラムビータ１０の組み立てが完了する。
【００２１】
なお、第２の部材２２を交換する場合、ナット部材１６を雄ねじ部１４から取り外した後、各孔２２Ａ，２４Ａから雄ねじ部１４を抜き出して第１及び第２の部材２１，２２を取り外す。そして、第１の部材２１の開口２８から第２の部材２２を引き出した後、新しい第２の部材２２を用いて前述のように再度組み立てを行えばよい。
【００２２】
従って、このような実施形態によれば、ロッド１１が各挟持体２４，２４だけでなく第２の部材２２にも貫通するので、当該第２の部材２２がロッド１１にしっかりと取り付けられ、演奏中等において、前記開口２８側から第２の部材２が脱落することを防止することが可能となる。また、前記各孔２２Ａ，２４Ａへのロッド１１の挿抜と、ナット部材１６の着脱とにより、第２の部材２２の交換を行えるので、従来のように接着剤を用いた場合に比べ、メンテナンスや交換作業の簡素化及び迅速化を図ることが可能となる。更に、各挟持体２４，２４に切欠部２４Ａを形成したので、当該切欠部２４Ａを通じて指先により第２の部材２２を把持することができる。これにより、組み立て等に作業時に第２の部材２２を把持し易くなり、第１の部材２１内への第２の部材２２の出し入れや、第２の部材２２の位置調整等の作業の容易化を図ることが可能となる。
【００２３】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、前記連結体２５の外面をドラムの打面（図示省略）を打撃する打撃面として利用してもよい。この場合、前述した回動軸（図示省略）にロッド１１を連結する際、図１に示される状態からヘッド１２の向きをロッド１１の周方向に１８０°変更すればよい。これによれば、異なる材質からなる二つの打撃面を選択的に利用でき、打撃されるドラムの音質のバリエーションを増やすことが可能となる。
【００２５】
更に、第１及び第２の部材２１，２２の材質は、相互に異なる材質からなってドラムの打撃演奏を行える限りにおいて、種々の変更が可能である。
【図面の簡単な説明】
【００２６】
【図１】実施形態に係るドラムビータの概略斜視図。
【図２】図１の分解図。
【符号の説明】
【００２７】
１０・・・ドラムビータ、１１・・・ロッド、１２・・・ヘッド、２１・・・第１の部材、２２・・・第２の部材、２２Ａ・・・孔、２２Ｂ・・・打撃面、２４・・・挟持体
【図１】
2010145571.tif 000003
【図２】
2010145571.tif 000004